【手続補正書】
【提出日】平成18年2月21日(2006.2.21)
【手続補正１】
【補正対象書類名】明細書
【補正対象項目名】発明の名称
【補正方法】変更
【補正の内容】
【発明の名称】写真プリント提供装置および方法ならびにプログラム
【手続補正２】
【補正対象書類名】明細書
【補正対象項目名】特許請求の範囲
【補正方法】変更
【補正の内容】
【特許請求の範囲】
【請求項１】
撮像領域内の使用者を含む被写体を撮像するカメラと、
あらかじめ準備され記憶されたフレーム画像や背景画像等の合成用画像の中から所望の合成用画像の選択を可能とする選択手段と、
上記カメラによる撮像映像と選択された合成用画像とがリアルタイム合成された合成動画をリアルタイム表示する表示手段と、
上記カメラのシャッタを動作させて被写体の静止画を撮影する撮影手段と、
上記撮影手段において撮影された静止画と上記選択された合成用画像との静止合成画像を表示して編集用画像の入力を受け付ける受付手段と、
上記受付手段で編集用画像を受け付けた編集後の静止合成画像を印刷する印刷手段とを備え、
上記選択手段は、選択可能な合成用画像に対して人物像が合成された状態で表示して選択入力を受け付けることを特徴とする写真プリント提供装置。
【請求項２】
上記選択手段は、選択可能な合成用画像に対して人物像が合成された状態で表示する際、上記人物像を点滅表示する請求項１記載の写真プリント提供装置。
【請求項３】
撮像領域内の使用者を含む被写体をカメラにより撮像する撮像ステップと、
あらかじめ準備され記憶されたフレーム画像や背景画像等の合成用画像の中から所望の合成用画像の選択を受け付ける選択ステップと、
上記カメラによる撮像映像と選択された合成用画像とがリアルタイム合成された合成動画をリアルタイム表示する表示ステップと、
上記カメラのシャッタを動作させて被写体の静止画を撮影する撮影ステップと、
上記撮影ステップにおいて撮影された静止画と上記選択ステップで選択された合成用画像との静止合成画像を表示して編集用画像の入力を受け付ける受付ステップと、
上記受付ステップで編集用画像を受け付けた編集後の静止合成画像を印刷する印刷ステップとを備え、
上記選択ステップは、選択可能な合成用画像に対して人物像が合成された状態で表示して選択入力を受け付けることを特徴とする写真プリント提供方法。
【請求項４】
上記選択ステップは、選択可能な合成用画像に対して人物像が合成された状態で表示する際、上記人物像を点滅表示する請求項３記載の写真プリント提供方法。
【請求項５】
撮像領域内の使用者を含む被写体をカメラにより撮像する撮像ステップと、
あらかじめ準備され記憶されたフレーム画像や背景画像等の合成用画像の中から所望の合成用画像の選択を受け付ける選択ステップと、
上記カメラによる撮像映像と選択された合成用画像とがリアルタイム合成された合成動画をリアルタイム表示する表示ステップと、
上記カメラのシャッタを動作させて被写体の静止画を撮影する撮影ステップと、
上記撮影ステップにおいて撮影された静止画と上記選択ステップで選択された合成用画像との静止合成画像を表示して編集用画像の入力を受け付ける受付ステップと、
上記受付ステップで編集用画像を受け付けた編集後の静止合成画像を印刷する印刷ステップとをコンピュータ装置により実行し、
上記選択ステップでは、選択可能な合成用画像に対して人物像が合成された状態で表示して選択入力を受け付けるステップを上記コンピュータ装置に実行させることを特徴とする写真プリント提供プログラム。
【請求項６】
上記選択ステップは、選択可能な合成用画像に対して人物像が合成された状態で表示する際、上記人物像を点滅表示する請求項５記載の写真プリント提供プログラム。
【手続補正３】
【補正対象書類名】明細書
【補正対象項目名】０００１
【補正方法】変更
【補正の内容】
【０００１】
【発明の属する技術分野】
本発明は、ゲームセンター等に設置され、硬貨等の投入により使用者を撮影し、撮影画像をプリントして販売する写真プリント提供装置および方法ならびにプログラムに関するものである。
【手続補正４】
【補正対象書類名】明細書
【補正対象項目名】０００８
【補正方法】変更
【補正の内容】
【０００８】
本発明は、このような事情に鑑みなされたもので、撮影の際に、合成後のイメージを確認でき、撮影時のポーズをとりやすくなる写真プリント提供装置および方法ならびにプログラムの提供を目的とする。
【手続補正５】
【補正対象書類名】明細書
【補正対象項目名】０００９
【補正方法】変更
【補正の内容】
【０００９】
【課題を解決するための手段】
上記の目的を達成するため、本発明の写真プリント提供装置は、撮像領域内の使用者を含む被写体を撮像するカメラと、
あらかじめ準備され記憶されたフレーム画像や背景画像等の合成用画像の中から所望の合成用画像の選択を可能とする選択手段と、
上記カメラによる撮像映像と選択された合成用画像とがリアルタイム合成された合成動画をリアルタイム表示する表示手段と、
上記カメラのシャッタを動作させて被写体の静止画を撮影する撮影手段と、
上記撮影手段において撮影された静止画と上記選択された合成用画像との静止合成画像を表示して編集用画像の入力を受け付ける受付手段と、
上記受付手段で編集用画像を受け付けた編集後の静止合成画像を印刷する印刷手段とを備え、
上記選択手段は、選択可能な合成用画像に対して人物像が合成された状態で表示して選択入力を受け付けることを要旨とする。
また、本発明の写真プリント提供方法は、撮像領域内の使用者を含む被写体をカメラにより撮像する撮像ステップと、
あらかじめ準備され記憶されたフレーム画像や背景画像等の合成用画像の中から所望の合成用画像の選択を受け付ける選択ステップと、
上記カメラによる撮像映像と選択された合成用画像とがリアルタイム合成された合成動画をリアルタイム表示する表示ステップと、
上記カメラのシャッタを動作させて被写体の静止画を撮影する撮影ステップと、
上記撮影ステップにおいて撮影された静止画と上記選択ステップで選択された合成用画像との静止合成画像を表示して編集用画像の入力を受け付ける受付ステップと、
上記受付ステップで編集用画像を受け付けた編集後の静止合成画像を印刷する印刷ステップとを備え、
上記選択ステップは、選択可能な合成用画像に対して人物像が合成された状態で表示して選択入力を受け付けることを要旨とする。
また、本発明の写真プリント提供プログラムは、撮像領域内の使用者を含む被写体をカメラにより撮像する撮像ステップと、
あらかじめ準備され記憶されたフレーム画像や背景画像等の合成用画像の中から所望の合成用画像の選択を受け付ける選択ステップと、
上記カメラによる撮像映像と選択された合成用画像とがリアルタイム合成された合成動画をリアルタイム表示する表示ステップと、
上記カメラのシャッタを動作させて被写体の静止画を撮影する撮影ステップと、
上記撮影ステップにおいて撮影された静止画と上記選択ステップで選択された合成用画像との静止合成画像を表示して編集用画像の入力を受け付ける受付ステップと、
上記受付ステップで編集用画像を受け付けた編集後の静止合成画像を印刷する印刷ステップとをコンピュータ装置により実行し、
上記選択ステップでは、選択可能な合成用画像に対して人物像が合成された状態で表示して選択入力を受け付けるステップを上記コンピュータ装置に実行させることを要旨とする。
【手続補正６】
【補正対象書類名】明細書
【補正対象項目名】００１０
【補正方法】変更
【補正の内容】
【００１０】
すなわち、本発明によれば、人物像が含まれない背景やフレームなどの画像を表示しただけでは、画像のどの部分が前景に合成される部分で、どの部分が後景に合成される部分かが見分けにくくなることから、上述のように、人物像を含む画像を表示して選択を行うことにより、合成後のイメージを確認でき、撮影時のポーズをとりやすくなる。
また、本発明において、上記選択手段は、選択可能な合成用画像に対して人物像が合成された状態で表示する際、上記人物像を点滅表示する場合には、撮影画像が合成される位置を視覚的に認識でき、より合成後のイメージを確認しやすくなり、ポーズを誘導しやすい。
【手続補正７】
【補正対象書類名】明細書
【補正対象項目名】００１１
【補正方法】変更
【補正の内容】
【００１１】
本発明において、カメラによる撮影画像と合成されるべき記憶画像を記憶する記憶手段に、記憶画像として撮影画像の画像範囲よりも大きな画像範囲の基本画像が記憶され、上記記憶手段の記憶画像と撮影画像とを合成する合成手段は、上記基本画像から撮影画像の画像範囲と略同じ画像範囲の単位画像を抽出する抽出部と、上記抽出された単位画像と撮影画像を合成する合成部とを含んで構成されている場合には、記憶画像として撮影画像の画像範囲よりも大きな画像範囲の基本画像を有し、上記基本画像から撮影画像の画像範囲と略同じ画像範囲の単位画像を抽出し、その抽出された単位画像と撮影画像を合成して合成画像を生成し、その合成画像を印刷出力する。このように、ひとつの基本画像から抽出された単位画像を使用した合成画像を印刷出力するため、できた写真プリントは、撮影画像に合成された単位画像が相互に関連性を有した画像パターンとなり、利用者は絵柄に関連性のある写真プリントをたくさん得ることができる。そして、単位画像を使用した合成画像を複数集めることにより、元の基本画像の全貌が明らかになることから、利用者に対してそれらを集める楽しみを与えることができる。利用者は、装置を再利用して多くの写真プリントを収集しようとし、利用者同士での写真プリントの交換を頻繁にして関連性のある写真プリントをもっとたくさん集めようとする。このように、この装置では、利用者の再利用と交換に対する強い動機付けが働き、再利用を促進することができる。
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】０３０９
【補正方法】変更
【補正の内容】
【０３０９】
【発明の効果】
以上のように、本発明は、人物像が含まれない背景やフレームなどの画像を表示しただけでは、画像のどの部分が前景に合成される部分で、どの部分が後景に合成される部分かが見分けにくくなることから、上述のように、人物像を含む画像を表示して選択を行うことにより、合成後のイメージを確認でき、撮影時のポーズをとりやすくなる。